(57)【要約】【課題】  容器の胴部とキャップとの間に、ラベルを貼着することによって両者の結合を強め、容器肩部を薄肉として、合成樹脂材料の節減を図るようにした液注出容器を提供すること。【解決手段】  キャップで容器肩部を被った液注出容器であって、キャップの側周壁と容器の胴部との間にラベルを貼着したことを特徴とし、具体的には、外周壁が角形のキャップで容器肩部を被った角形の容器であって、容器が、円形の口部と、横断面が角部を円弧とした角形の肩部と、胴部とを具備しており、肩部の側周壁下端と胴部の上端との間に、段部が設けられており、キャップは、外周壁が角形のキャップ基体と、キャップ基体にヒンジを介して取着されたオーバーキャップとからなり、キャップ基体の側周壁が、前記段部に載置され、側周壁と容器の胴部との間にラベルが貼着されていることを特徴とする。【選択図】  図１
2006016028.tif 000002
【特許請求の範囲】
【請求項１】
キャップで容器肩部を被った液注出容器であって、
キャップの側周壁と容器の胴部との間にラベルを貼着したことを特徴とする液注出容器。
【請求項２】
外周壁が角形のキャップで容器肩部を被った角形の容器であって、
容器が、円形の口部と、横断面が角部を円弧とした角形の肩部と、胴部とを具備しており、
肩部の側周壁下端と胴部の上端との間に、段部が設けられており、
キャップは、外周壁が角形のキャップ基体と、キャップ基体にヒンジを介して取着されたオーバーキャップとからなり、
キャップ基体の側周壁が、前記段部に載置され、側周壁と容器の胴部との間にラベルが貼着されていることを特徴とする液注出容器。
【請求項３】
キャップ基体が、嵌着筒の下部に嵌着部を設けた複数の連結片を設け、容器口部に設けた突出環に嵌合するようにしたことを特徴とする請求項２記載の液注出容器。
【発明の詳細な説明】
【技術分野】
【０００１】
本発明は、液注出容器、とくに容器肩部を薄肉化した液注出容器に関するものである。
【背景技術】
【０００２】
容器口部にキャップを被嵌した容器において、容器の肩部を形成する側周壁に、間欠的に取り付けねじ（ｇ）を設けるとともに、キャップの側周壁内周下端に取り付けねじ（ｇ）に係合するカバーキャップねじ（２８）を設けてキャップを螺着するようにした容器は、従来より知られている（特許文献１参照）。
また、調味料等の収納容器で、角形容器の肩部の各側周壁に係止凹部を設け、キャップの側周壁下端に突条を設け、キャップをねじることによって開蓋できるようにした容器も、店頭で販売されている。
【特許文献１】特願２００２−１９８１５号公報
【発明の開示】
【発明が解決しようとする課題】
【０００３】
しかしながら、上記従来の各容器は、容器の肩部に取付ねじや係止凹部を設けているので、肩部を薄肉にすることができないという問題があった。
【０００４】
本発明は、上記の問題を解決することを課題として、容器の胴部とキャップとの間に、ラベルを貼着することによって両者の結合を強め、容器肩部を薄肉として、合成樹脂材料の節減を図るようにした液注出容器を提供することを目的とする。
【課題を解決するための手段】
【０００５】
本発明は、上記の課題を解決するため、液注出容器として、キャップで容器肩部を被った液注出容器であって、キャップの側周壁と容器の胴部との間にラベルを貼着したことを特徴とする構成を採用する。
【０００６】
具体的な実施形態として、外周壁が角形のキャップで容器肩部を被った角形の容器であって、容器が、円形の口部と、横断面が角部を円弧とした角形の肩部と、胴部とを具備しており、肩部の側周壁下端と胴部の上端との間に、段部が設けられており、キャップは、外周壁が角形のキャップ基体と、キャップ基体にヒンジを介して取着されたオーバーキャップとからなり、キャップ基体の側周壁が、前記段部に載置され、側周壁と容器の胴部との間にラベルが貼着されていることを特徴とする構成を採用する。
【０００７】
キャップと容器口部との結合手段として、キャップ基体が、嵌着筒の下部に嵌着部を設けた複数の連結片を設け、容器口部に設けた突出環に嵌合するようにしたことを特徴とする構成を採用する。
【発明の効果】
【０００８】
キャップ基体の側周壁を容器肩部側周壁に接合させ、下端を容器胴部上端の段部に載置するようにし、容器胴部とキャップとの間にラベルを貼着するようにしたから、容器とキャップとの結合を強め、肩部の壁面を薄肉とすることができ、容器の合成樹脂材料を少なくすることができた。
【０００９】
さらに、キャップ基体を、複数の連結片を介して容器口部の突出環に嵌着するようにしたから、キャップ自体の合成樹脂材料を節減することができた。
【発明を実施するための最良の形態】
【００１０】
次に、本発明に係る容器について、図面を参照して説明する。
図１、２において、Ａは容器、Ｂは中栓、Ｃはキャップ、Ｄはラベルである。
容器Ａは、口部１と肩部２、胴部３と底部４とからなり、ＰＥＴ、その他の合成樹脂を用いてブロー成形されている。
容器Ａには、内容液として、ソース、ドレッシング等の調味料が収納され、食卓上等で使用される。
【００１１】
口部１には、嵌合突条５と突出環６が設けられており、肩部２、胴部３は、横断面がほぼ角形となっている。
肩部２は、口部１の下端に連なる上壁７と、垂直面よりやや傾斜した側周壁８とからなり、側周壁８の下端と胴部３の上端との間には、段部９が形成されている。
【００１２】
中栓Ｂは、嵌着筒１０と、上壁１１と注出筒１２とを具えている。
嵌着筒１０の内周下端には、容器口部１の嵌合突条５と係合する嵌合突条１３が設けられており、上壁１１の外周端縁には、係合段部１４が設けられている。
【００１３】
注出筒１２は、その上部には、上壁１１より上方に延びるように注出口唇部１５が形成されており、下端には、隔壁１６が連設されている。
隔壁１６には、注出口を形成するための切断溝１７が刻設され、その内側は除去部１８となっており、除去部１８には、連結片を介して引張りリング１９が連設されている。
【００１４】
キャップＣは、キャップ基体Ｃ１と、該キャップ基体Ｃ１にヒンジを介して取着されたオーバーキャップＣ２とからなり、キャップ基体Ｃ１は、ほぼ角形の上壁２０と、上壁２０の周縁から垂設された側周壁２１とを具えている。
上壁２０の中央部には、中栓Ｂの係合段部１４に係合する嵌合孔２２が穿孔されており、嵌合孔２２の外側には、嵌着筒２３が垂設されている。
嵌着筒２３の下部は、複数の円弧状の連結片２４となっており、その下端内面には、容器口部１の突出環６に係合する嵌着部２５が突設されている。
【００１５】
上壁２０の外周縁には、段部２６が設けられており、１つの側周壁２１の上端には、オーバーキャップＣ２を連設する一対のヒンジ２７が設けられ、その反対側の側周壁２１には、中央部に凹部が設けられている。
【００１６】
オーバーキャップＣ２は、頂壁２８と側周壁２９とからなり、頂壁２８の内面中央部には、注出口唇部１５に係合する密封リング３０が垂設されている。
側周壁２９の下端は、段部２６に当接しており、一つの側周壁２９は、前記ヒンジ２７に連設され、その反対側の側周壁２９には、つまみ３１が設けられている。
【００１７】
容器Ａに内容物を収納した後に、中栓ＢとキャップＣを、容器Ａの口部１に打栓によって嵌着する。
その後に、容器Ａとキャップ基体Ｃ１との間に、各種の表示を印刷したラベルＤを、図２に示すように、貼着する。
【００１８】
次に、本発明の液注出容器の作用効果について説明する。
キャップＣの打栓時には、中栓Ｂの嵌合突条１３が、口部１の嵌合突条５に係合され、キャップ基体Ｃ１の連結片２４の嵌着部２５が、口部１の突出環６に係合して、キャップＣ自体は容器口部１に取着され、キャップ基体Ｃ１の側周壁２１は、容器Ａの肩部２の側周壁８に接合され、側周壁２１の下端は、容器Ａの段部９に載置される。
【００１９】
その後に、側周壁２１と容器Ａの胴部３との間には、ラベルＤが貼着されるので、キャップＣと容器Ａは、一層強く結合されることになる。
また、キャップＣをねじったときにも、キャップＣの廻動が防止され、キャップ基体Ｃ１は、容器口部１への嵌合とともに、キャップＣを定位置に保持することができる。
【００２０】
液注出容器の使用にあたっては、オーバーキャップＣ２を開き、引張りリング１９を引上げて、切断溝１７を切断して注出口を開口する。
次いで、図３に示すように、容器Ａを傾けると、注出筒１２より内容液を注出することができる。
注出後に、オーバーキャップＣ２を閉鎖すると、密封リング３０によって注出口唇部１５が密封され、そのまま保存しておくことができる。
【００２１】
容器の廃棄にあたっては、ラベルＤを剥がし、キャップ基体Ｃ１を上方に引上げると、連結片２４が容器口部１の突出環６から外れ、キャップＣと容器Ａとを分離することができる。
【００２２】
前記実施形態では、オーバーキャップＣ２をヒンジ２７を介してキャップ基体Ｃ１に取着したが、これらを別体とし、図４に示すように、オーバーキャップＣ２をキャップ基体Ｃ１より大きくして、オーバーキャップＣ２に設けた密封リング３０を、中栓Ｂの注出筒１２内に嵌挿するようにしてもよい。
【００２３】
また、キャップＣを、密封リング３０を垂設した頂壁と、容器肩部２に嵌挿される側周壁とから構成し、粘着性を有するラベルＤで容器Ａと結合し、使用にあたってラベルＤを剥がし、引張りリング１９を引上げて注出口を開口し、注出後には、密封リング３０を注出筒１２内に嵌挿して、再びラベルＤを貼るようにしてもよい。
【産業上の利用可能性】
【００２４】
容器肩部に、キャップを被嵌するための取付ねじや係止凹部を設けなくしたから、合成樹脂材料の節減を図ることができ、液注出容器に広く利用することができる。
【図面の簡単な説明】
【００２５】
【図１】本発明の容器の側面断面図である。
【図２】容器の背面図である。
【図３】注出時の説明図である。
【図４】別実施形態の説明図である。
【符号の説明】
【００２６】
Ａ          容器
Ｂ          中栓
Ｃ          キャップ
Ｃ１        キャップ基体
Ｃ２        オーバーキャップ
Ｄ          ラベル
１          口部
２          肩部
３          胴部
４          底部
５          嵌合突条
６          突出環
７、１１、２０  上壁
８、２１、２９  側周壁
９、２６    段部
１０、２３  嵌着筒
１２        注出筒
１３        嵌合突条
１４        係合段部
２２        嵌合孔
２４        連結片
２５        嵌着部
２７        ヒンジ
２８        頂壁
３０        密封リング
【図１】
2006016028.tif 000003
【図２】
2006016028.tif 000004
【図３】
2006016028.tif 000005
【図４】
2006016028.tif 000006